(57)【要約】【課題】複層立体トラス架構において、２本の弦材が同一平面内にないトラス構造であって、弦材に用いたＴ形部材等の中間部にラチス材を無理なく接合できるトラスの組立て構造とその組立て方法を提供する。【解決手段】節点束材４に接続されるラチス取付けプレート５の面は、節点束材４の部材軸ＡＢと、ラチス材３の部材軸ＡＣと、下弦材２の部材軸ＢＣと、を３辺とする三角形ＡＢＣで決定される平面に対してラチス材３の部材軸ＡＣを共有し、かつトラス構面の捩じり回転軸Ｘに直交する平面Ｆ1と直交交差する平面Ｆ2に含まれている。ラチス取付けプレート６は、その面を三角形ＡＢＣで決定される平面に直交もしくは略直交して、下弦材２の中間部に取付けられている。上下弦材１、２は、その端部接合面と弦材取付け部Ｊ1a、Ｊ2aの接合面とが同一平面になるように、部材軸回りに捩られ接合されている。【選択図】図４
2020066988.tif 000002
【特許請求の範囲】
【請求項１】
複層立体トラス架構の任意の隣接２節点間を繋ぐトラス構面を構成する２本の弦材が同一平面内にない場合であって、
(i)節点束材に接続されるラチス材のラチス取付けプレート（５）の面は、前記節点束材の部材軸と、その節点束材の一端または中間部に接続される前記ラチス材の部材軸と、前記節点束材の他方の端部に接続される前記２本の弦材どちらか一方の部材軸と、を３辺とする三角形で決定される平面に対して前記ラチス材の部材軸を共有しかつ前記トラス構面の捩じり回転軸（Ｘ）に直交する平面（Ｆ１）と直交交差する平面（Ｆ２）に含まれている。
(ii)前記節点束材に接続される前記ラチス材のラチス取付けプレート（５）とは反対側のラチス取付けプレート（６）は、その面を前記三角形で決定される平面に対して直交もしくは略直交するようにして、前記２本の弦材どちらか一方の部材中間部に取付けられている。
(iii)前記２本の弦材の内少なくとも１本の弦材は、その弦材の部材軸回りに捩られて、もしくは予め捩り加工されて、前記節点束材の端部に接合されている。
以上の構成を含むトラスの組立て構造。
【請求項２】
複層立体トラス架構の任意の隣接２節点間を繋ぐトラス構面を構成する２本の弦材が同一平面内にない場合であって、
(i)節点束材の端部または中間部に接続されるラチス材のラチス取付けプレート（５）の面は、前記節点束材の部材軸と、前記トラス構面の捩じり回転軸（Ｘ）と、の交差軸で決定される平面に含まれており、かつ、前記ラチス取付けプレート（５）と前記ラチス材の端部とを連結する連結プレート（５ａ）が、前記ラチス取付けプレート（５）に直交もしくは略直交して設けられている。
(ii)前記節点束材に接続される前記ラチス取付けプレート（５）とは反対側のラチス取付けプレート（６）は、その面を、前記節点束材の部材軸と、その節点束材の一端または中間部に接続されるラチス材の部材軸と、前記節点束材の他方の端部に接続される前記２本の弦材どちらか一方の部材軸と、を３辺とする三角形で決定される平面に対して直交もしくは略直交するようにして、前記２本の弦材どちらか一方の部材中間部に取付けられている。
(iii)前記(ii)記載の部材中間部にラチス取付けプレート（６）が取付けられた前記弦材の端部と、前記節点束材の他方の端部と、を接合する弦材ウェブ取付けプレート（８ｃ）の面が、前記(i)記載の前記交差軸で決定される平面に含まれている。
(iv)前記２本の内少なくとも１本の弦材は、その弦材の部材軸回りに捩られて、もしくは予め捩り加工されて、前記節点束材の端部に接合されている。
以上の構成を含むトラスの組立て構造。
【請求項３】
複層立体トラス架構の任意の隣接２節点間を繋ぐトラス構面を構成する２本の弦材が同一平面内になくかつ長さが異なる場合において、節点部材の中間部に複数のラチス材のラチス取付けプレート（５）が集まって接続されるトラスの組立て構造であって、
(i)複数の前記ラチス取付けプレート（５）のそれぞれの面は、前記節点束材の部材軸と、その節点束材の中間部に接続される前記各ラチス材の部材軸と、前記節点束材の端部に接続される前記２本の弦材どちらか一方の部材軸と、を３辺とする三角形で決定される平面に対して前記各ラチス材の部材軸をそれぞれ共有し、かつ前記トラス構面の捩じり回転軸（Ｘ）に直交する平面（Ｆ１）と直交交差する平面（Ｆ２）に含まれている。
(ii)前記節点束材の中間部に接続された隣接の前記ラチス取付けプレート（５）は、それらの間に設けられた仕切りプレート（５ｂ）を介して接合されている。
(iii)前記節点束材の中間部に接続される前記ラチス材のラチス取付けプレート（５）とは反対側のラチス取付けプレート（６）は、その面を前記三角形で決定される平面に対して直交もしくは略直交するようにして、前記２本の弦材どちらか一方の部材中間部に取付けられている。
以上の構成を特徴とするトラスの組立て構造。
【請求項４】
請求項１乃至３記載のトラスの組立て構造において、弦材がＴ形やＬ形等の開断面部材の時、前記ラチス材の少なくとも片方の端部が、前記節点束材に接続される前記ラチス取付けプレート（５）もしくは前記弦材の部材中間部のウェブ（２´）と重なる位置まで伸ばして接合される場合であって、前記ラチス材の端部側面と前記節点束材に接続される前記ラチス取付けプレート（５）面もしくは前記弦材の部材中間部のウェブ（２´）面との干渉を避けるための隙間が設けられた状態にて、前記ラチス材の少なくとも片方の端部が、前記連結プレート（５ａ）もしくは前記２本の弦材どちらか一方の部材中間部に取付けられた前記ラチス取付けプレート（６）に接合されること、を特徴とするトラスの組立構造。
【請求項５】
請求項１乃至２もしくは４記載のトラスの組立て構造において、前記弦材は断面がＴ形のＴ形部材であり、そのＴ形部材は、
(i)２本のＴ形部材のフランジ同士を背合わせした状態、もしくはそのウェブの縁端同士が相対する状態で一対のＴ形部材とし、その両端部近傍を、一定の距離を置いて２箇所に設置された固定装置で掴み、
(ii)捩り装置を用いて、前記一対のＴ形部材の両端部を相対的に逆方向に回転させることにより、前記一対のＴ形部材に所定の角度まで捩り変形を与え、その後、捩り力を解除して捩り変形を残留させ、
(iii)その残留捩り角度を測定し、
(iv)残留捩り角度が所定残留角度の許容範囲に収まったことを確認する。
以上の部材加工工程を含む方法により予め作製されることを特徴とする、トラスの組立て構造の組立て方法。
【請求項６】
請求項１乃至２もしくは４記載のトラスの組立て構造において、前記弦材は断面がＴ形のＴ形部材であり、そのＴ形部材を、断面がＨ形であるＨ形部材を切断して作製する方法であって、
(i)前記Ｈ形部材の両端部近傍を、一定の距離を置いて２箇所に設置された固定装置で掴み、
(ii)捩り装置を用いて、前記Ｈ形部材の両端部を相対的に逆方向に回転させることにより、前記Ｈ形部材に所定の角度まで捩り変形を与え、その後、捩り力を解除して捩り変形を残留させ、
(iii)その残留捩り角度を測定し、
(iv)残留捩り角度が所定残留角度の許容範囲に加工されたＨ形部材を、強制的に捩じり角度を０°まで変形を戻し、
（v)その状態にて、前記Ｈ形部材のウェブを部材軸方向に、切断装置を用いて切断して、２本のＴ形部材に分割する。
以上の部材加工工程を含む方法により予め作製されることを特徴とする、トラスの組立て構造の組立て方法。
【発明の詳細な説明】
【技術分野】
【０００１】
本発明は、相対する２本の弦材に、Ｔ形やＬ形等の開断面の鉄骨部材（以下、Ｔ形部材等と称す）を用いたトラス梁あるいはトラス柱（以下、トラス構造と称する）において、前記２本の弦材が同一平面内にない場合、即ち、相対的に捩れた位置関係にある場合であっても、ラチス材を前記弦材の中間部に無理なく容易に接合できるようにした、トラスの組立て構造および組立て方法に関する。
【背景技術】
【０００２】
図１は、ドーム屋根などの曲面を有する屋根に用いられる複層立体トラス架構の一例を図示したものであり、上弦材１と下弦材２、当該上弦材１と下弦材２との間に配設された複数のラチス材３および束材４とから構成されている。
【０００３】
これらのトラス構成部材は、Ｈ形鋼やＬ形鋼、ＣＴ形鋼などの形鋼、或いは円形鋼管等より形成され、ガセットプレート等の接合プレートを介して互いに接合されてトラス梁を構成し、更に複数のトラス梁が各節点部で互いに交差し、かつ互いに接合されることにより複層立体トラス架構を構成している。なお、図１に図示した複層立体トラス架構は、各トラス構成部材がＨ形鋼の場合を示している。
【０００４】
ところで、上記のような複層立体トラス架構において、各トラス梁の上弦材１と下弦材２が同一平面内に設置されている場合、例えば図２（ａ）の複層トラス梁の一構面のトラスWについて説明すれば、図２（ｂ）に示すように、ラチス材３も上弦材１や下弦材２と同じ平面内に設置されるため、これらの両端部は上弦材１と下弦材２の中間部にガセットプレート５、５を介して無理なく容易に接合することができる。
【０００５】
しかし、ドーム屋根などの曲面を有する屋根に用いられる複層立体トラス架構の場合、図２（ａ）に図示するように、屋根面の形状によってはトラス梁がその軸芯Ｘ軸回りにφだけ捩じられて架設されることがある。この場合、上弦材１と下弦材２は相互に捩じれた位置関係に配設され、更に上弦材１と下弦材２もそれぞれ材軸回りに捩られた状態で架設される場合もある。
【０００６】
このような捩れた位置関係にある上弦材１と下弦材２間に複数のラチス材３を配設する場合の問題について、図３を参照して説明する。図３は、図２（ａ）のトラス梁をＸ軸回りにφの捩り角度を与えた状態を軸芯のみで表示したものである。
【０００７】
図３（ａ）、（ｂ）に図示するように、ラチス材３を捩れたトラス構面に沿って湾曲させる必要があるが（太い破線で図示）、直線材であるべきラチス材３を曲げることはできないため、上弦材１と下弦材２に取り付けられたラチス取付けプレート５、５の方を、ラチス材３の軸方向に合わせると共に、ラチス材３の端部接合面との肌すきをなくすようにする必要がある。
【０００８】
このため、従来、ドーム屋根などの曲面を有する屋根を複層立体トラスによって構築する場合は、特にトラス梁が捩られて配設される位置でラチス材３の端部を上弦材１および下弦材２にガセットプレートを介して接合するには、図３（ｃ）に図示するように、直線材であるラチス材３の軸方向およびその両端接合面に合うように、複雑で手間のかかるラチス取付けプレート５、５の曲げ加工が必要であった。
【０００９】
しかも、そのようなラチス取付けプレート５は、ラチス材３の取付け位置によって形状や大きさ、更には取付け角度が異なることが多いため、ガセットプレート５をラチス材３の位置ごとに一枚一枚製作する必要があり、そのために非常に多くの手間とコストがかかり、また、材軸回りに捩られた上弦材１もしくは下弦材２のフランジ面またはウェブ面に精度よく取り付けることは現実問題として極めて困難であった。
【００１０】
この問題に関連する特許文献１では、上記課題を回避することにより、ラチス材の両端部を無理なく容易に接合する接合構造を開示している。特許文献１の発明は、ラチス材を弦材の中間部には接合せず、隣接する２節点の一方の上弦節点と他方の下弦節点とを直接連結するようにし、トラス構面に略直交しかつ前記ラチス材の部材軸を含む平面を想定し、両節点側のラチス接合用の接合プレートとラチス材の両端接合面をその平面に合せるように設けることにより、そのラチス材の両端接合面を肌すきなく前記接合プレートに接合できるようにしたものである。
【先行技術文献】
【特許文献】
【００１１】
【特許文献１】特開２０１７−２０６８１８号公報
【特許文献２】特許第３４１８６５９号特許公報
【発明の概要】
【発明が解決しようとする課題】
【００１２】
しかし、この特許文献１の発明は、上弦材の中間部に荷重が作用することを想定して、Ｈ形鋼のような曲げ力に強い部材を用いることを前提にしているので、弦材として曲げ力に弱いＴ形部材等を用いる場合には適さない。Ｔ形部材等を用いるトラス梁の弦材の中間部に荷重が作用する場合は、その荷重作用点にラチス材や束材を接合して、弦材に曲げ応力が発生しないようにする必要がある。
【００１３】
そこで本発明は、トラス構面を構成する２本の弦材が同一平面内にないトラス構造において、前記特許文献１の発明では回避された課題であった、弦材の中間部にもラチス材を無理なく容易に接合できるようにすることを目的とし、Ｈ形鋼に限らずＴ形部材等を弦材に用いたトラスの組立て構造と、前記弦材がＴ形部材の場合に予め捩り加工する工程を含むトラスの組立て方法を提供するものである。
【課題を解決するための手段】
【００１４】
上記課題を解決するための本発明の手段は、複層立体トラス架構の任意の隣接２節点間を繋ぐトラス構面を構成する２本の弦材が同一平面内にない場合であって、以下の構成を含むトラスの組立て構造である。
【００１５】
(i)節点束材に接続されるラチス材のラチス取付けプレートの面は、前記節点束材の部材軸と、その節点束材の一端または中間部に接続される前記ラチス材の部材軸と、前記節点束材の他方の端部に接続される前記２本の弦材どちらか一方の部材軸と、を３辺とする三角形で決定される平面に対して前記ラチス材の部材軸を共有し、かつ前記トラス構面の捩じり回転軸に直交する平面と直交交差する平面に含まれている。
【００１６】
(ii) 前記節点束材に接続される前記ラチス材のラチス取付けプレートとは反対側のラチス取付けプレートは、その面を前記三角形で決定される平面に対して直交もしくは略直交するようにして、前記２本の弦材どちらか一方の部材中間部に取付けられている。
【００１７】
(iii)前記節点束材の少なくとも一方の端部に、節点コア部材が設けられている。
(iv)前記２本の弦材の端部は、その内少なくとも１本の弦材の端部接合面と、その端部接合面に相対する前記節点コア部材に連続した弦材取付け部の接合面とが同一平面になるように、その弦材の部材軸回りに捩られて接合されている。
【００１８】
また、本発明は、複層立体トラス架構の任意の隣接２節点間を繋ぐトラス構面を構成する２本の弦材が同一平面内にない場合であって、以下の構成を含む、トラスの組立て構造である。
【００１９】
(i)節点束材の端部または中間部に接続されるラチス材のラチス取付けプレートの面は、前記節点束材の部材軸と、前記トラス構面の捩じり回転軸と、の交差軸で決定される平面に含まれており、かつ、前記ラチス取付けプレートと前記ラチス材との端部とを連結する連結プレートが、前記ラチス取付けプレートに直交もしくは略直交して設けられている。
【００２０】
(ii)前記節点束材に接続される前記ラチス取付けプレートとは反対側のラチス取付けプレートは、その面を、前記節点束材の部材軸と、その節点束材の一端または中間部に接続されるラチス材の部材軸と、前記節点束材の他方の端部に接続される前記２本の弦材どちらか一方の部材軸と、を３辺とする三角形で決定される平面に対して直交もしくは略直交するようにして、前記２本の弦材どちらか一方の部材中間部に取付けられている。
【００２１】
(iii)前記(ii)記載の部材中間部にラチス取付けプレートが取付けられた前記弦材の端部と、前記節点束材の他方の端部と、を接合する弦材ウェブ取付けプレートの面が、前記(i)記載の前記交差軸で決定される平面に含まれている。
【００２２】
(iv)前記節点束材の両端部に節点コアプレートが設けられている。
(v)前記２本の弦材の端部は、その内少なくとも１本の弦材の端部接合面と、前記弦材の端部接合面に相対する前記節点コアプレートに連続した弦材フランジ取付けプレートの接合面、および前記節点束材に接続される前記ラチス材の前記ラチス取付けプレートもしくは前記弦材ウェブ取付けプレートの接合面と、がそれぞれ同一平面になるように、その弦材の部材軸回りに捩られて接合されている。
【００２３】
また、本発明は、複層立体トラス架構の任意の隣接２節点間を繋ぐトラス構面を構成する２本の弦材が同一平面内になくかつ長さが異なる場合において、特に、節点部材の中間部に複数のラチス材のラチス取付けプレートが集まって接続されるトラスの組立て構造であって、以下の構成を含むトラスの組立て構造である。
【００２４】
(i)複数の前記ラチス取付けプレートのそれぞれの面は、前記節点束材の部材軸と、その節点束材の中間部に接続される前記各ラチス材の部材軸と、前記節点束材の端部に接続される前記２本の弦材どちらか一方の部材軸と、を３辺とする三角形で決定される平面に対して前記各ラチス材の部材軸をそれぞれ共有し、かつ前記トラス構面の捩じり回転軸に直交する平面と直交交差する平面に含まれている。
【００２５】
(ii)前記節点束材の中間部に集まって接続された相隣接する前記ラチス取付けプレートは、それらの間に設けられた仕切りプレートを介して接合されている。
(iii)前記節点束材の中間部に接続される前記ラチス材のラチス取付けプレートとは反対側のラチス取付けプレートは、その面を前記三角形で決定される平面に対して直交もしくは略直交するようにして、前記２本の弦材どちらか一方の部材中間部に取付けられている。
【００２６】
上記のように、トラス構面を構成する２本の弦材が同一平面内になくかつ長さが異なる場合の単純な形態として、例えば、上弦面と下弦面が平行な山形屋根架構の棟線上の節点に接合されかつ前記棟線に斜交するトラス構面があり、その上弦材と下弦材の部材軸は非平行でありかつ上弦材の方が下弦材よりも長い。自由曲面のトラス架構では、一般的に、トラス構面を構成する２本の弦材が同一平面内になくかつ長さが異なる。
【００２７】
また、本発明は、以上に記載の何れかのトラスの組立て構造において、弦材がＴ形部材等の時、前記ラチス材の少なくとも片方の端部が、前記節点束材に接続される前記ラチス取付けプレートもしくは前記弦材の部材中間部のウェブと重なる位置まで伸ばして接合される場合であって、前記ラチス材の端部側面と前記節点束材に接続される前記ラチス取付けプレート面もしくは前記弦材の部材中間部のウェブ面との干渉を避けるための隙間が設けられた状態にて、前記ラチス材の少なくとも片方の端部が、前記連結プレートもしくは前記２本の弦材どちらか一方の部材中間部に取付けられた前記ラチス取付けプレートに接合されること、を特徴とするトラスの組立て構造である。
【００２８】
上記のような隙間を予め考慮しておけば、前記ラチス材の端部が、前記節点束材に接続される前記ラチス取付けプレートもしくは前記弦材の部材中間部のウェブと重なる位置まで伸ばして接合される場合において、製作精度があまり高くない場合でも、前記ラチス材と前記ラチス取付けプレートもしくは前記弦材の部材中間部のウェブとの干渉を避けることができる。
【００２９】
なお、本発明に係るトラスの組立て構造が対象とする形態は、例えば図１５のタイプａ〜ｇが考えられる。タイプ符号（例：ａ1とａ2）の数字の違いは、ラチス材の向きが逆パターンであることを示す。図中の▽印はトラス構造への中間荷重作用点であり、２箇所以下に限定した場合である。また、弦材とラチス材（もしくは束材）との接合点（○印）近傍の数字は、その弦材に接合される部材数である。
【００３０】
ラチス材と束材は、非平行な２本の弦材に接合され、なお且つ軸回りに捩られる弦材に接合されることもあるので、その弦材に接合される部材総数（＝ｎ）は少ない方が、トラス製作の加工時間短縮に繋がり望ましい。例えば、タイプａとｂはｎ＝4、タイプｃとｄはｎ＝6、タイプｅとｆはｎ＝8、タイプｇはｎ＝10となるので、トラス構造への中間荷重作用点が中央１箇所の場合、トラス製作上、タイプc、d2よりもタイプａまたはｂが好ましいと言える。
【００３１】
次に、本発明に係るトラスの組立て構造の組立て方法は、弦材がＴ形部材の場合において、
(i)２本のＴ形部材のフランジ同士を背合わせした状態、もしくはそのウェブの縁端同士が相対する状態で一対のＴ形部材とし、その両端部近傍を、一定の距離を置いて２箇所に設置された固定装置で掴み、
(ii)捩り装置を用いて、前記一対のＴ形部材の両端部を相対的に逆方向に回転させることにより、前記一対のＴ形部材に所定の角度まで捩り変形を与え、その後、捩り力を解除して捩り変形を残留させ、
(iii)その残留捩り角度を測定し、所定残留角度の許容範囲になるまで前工程(2)を繰り返す。
【００３２】
(iv)残留捩り角度が所定残留角度の許容範囲に収まったことを確認して、固定装置から前記一対のＴ形部材を取外して終了する。
以上の部材加工工程を含む方法により予め作製されることを特徴とする、トラスの組立て構造の組立て方法である。
【００３３】
また、本発明に係る別のトラスの組立て構造の組立て方法は、Ｈ形鋼等のＨ形断面部材（以下、Ｈ形部材と称す）からＴ形部材を製作する方法であって、
(i)Ｈ形部材の両端部近傍を、一定の距離を置いて２箇所に設置された固定装置で掴み、
(ii)捩り装置を用いて、前記Ｈ形部材の両端部を相対的に逆方向に回転させることにより、前記Ｈ形部材に所定の角度まで捩り変形を与え、その後、捩り力を解除して捩り変形を残留させ、
(iii)その残留捩り角度を測定し、所定残留角度の許容範囲になるまで前工程 (ii)を繰り返す。
【００３４】
(iv)残留捩り角度が所定残留角度の許容範囲に加工されたＨ形部材を、加圧装置等を用いて強制的に捩り角度を０°まで変形を戻し、
(v)その状態にて、前記Ｈ形鋼部材のウェブを部材軸方向に、切断装置を用いて切断して、２本のＴ形部材に分割する。
以上の部材加工工程を含む方法により予め作製されることを特徴とする、トラスの組立て構造の組立て方法である。
【発明の効果】
【００３５】
以上のように本発明は、前記特許文献１の発明では回避された課題を解決して、トラス構面を構成する２本の弦材が同一平面内にないトラス構造であっても、更には捩られた弦材の中間部であっても、ラチス材を無理なく容易に接合することを可能とするので、次のような効果が得られる。
【００３６】
(1)節点束材に接続されるラチス材のラチス接合プレートが、そのラチス材の部材軸を共有し前記三角形で決定される平面と交差する平面に含まれている、もしくは、ラチス材を前記ラチス接合プレートに接続するための接続プレートが、前記ラチス接合プレートに直交もしくは略直交する平面内に設けられており、かつ、前記ラチス材が弦材中間部に接続されるもう一方のラチス接合プレートの面も前記三角形で決定される平面と直交もしくは略直交する平面内にあるため、トラス構面の捩り角度に応じて節点束材の部材軸と中間束材の部材軸との相対的な傾斜角度差が増減しても、前記三角形で決定される平面と前記ラチス接合プレートや接続プレートとの交差角度には影響しないので、実際のラチス材の部材軸方向を前記弦材中間部に接続される前記ラチス接合プレートの面内で決定すれば、例えば、Ｌ形鋼をラチス材に用いても、そのラチス材両端部の接合面と各ラチス接合プレートもしくは接続プレートとの接合面は肌すきなく接合することができる。
【００３７】
(2)捩られた弦材と、ラチス材もしくは中間束材との接合部の納まりが単純化するので、製作の加工時間短縮とコストダウンに繋がる。
【００３８】
(3)捩れたトラス構造であっても、ラチス材をその弦材の中間部に無理なく接合できるので、その接合位置で中間荷重を受ければ、弦材に曲げ応力が作用するのを回避でき、Ｈ形鋼に限定されることなくＬ形鋼やＣＴ形鋼のような曲げ力に弱い部材でも弦材に使用し易くなる。
【００３９】
(4)従って、弦材に中間荷重による曲げ応力が作用しないため弦材の部材サイズを小さくでき、トラス構造の本来の特性が発揮されるので、軽量化に繋がり大規模屋根架構等のコストダウンに大いに寄与する。
【図面の簡単な説明】
【００４０】
【図１】ドーム屋根などの曲面を有する屋根に用いられる複層立体トラス架構の一例を示す部分斜視図である。
【図２】従来のトラス梁の１例であり、（ａ）は側面図、（ｂ）は図２(ａ)のイ−イ線断面矢視図である。
【図３】図２(ａ)のトラス梁をＸ軸回りにφの捩り角度を与えた状態を軸芯のみで表示したものであり、（ａ）は図２(ａ)のロ−ロ線断面矢視図、（ｂ）は図２(ａ)のハ−ハ線断面矢視図に対応する。（ｃ）は図３（ｂ）の状態におけるラチス材３軸芯（湾曲した太い破線）とラチス取付けプレート５、５が一直線上に配設された状態を表示したものである。
【図４】本発明に係るトラスの組立て構造の第１実施例を説明する図であり、（ａ）は側面図、（ｂ）は図４（ａ）のニ−ニ線断面矢視図、（ｃ）は図４(ａ)のホ−ホ線断面矢視図である。
【図５】図４（ｃ）を補足説明する図であり、ラチス取付けプレート５を含む平面Ｆ2を説明する図である。
【図６】本発明に係るトラスの組立て構造の第２実施例を説明する図であり、（ａ）は側面図、（ｂ）は図６（ａ）のニ−ニ線断面矢視図、（ｃ）は図６（ａ）のホ−ホ線断面矢視図である。
【図７】本発明に係るトラスの組立て構造の第３実施例を説明する図であり、（ａ）は第３実施例を適用する図１５に図示したタイプｃと同類のトラス軸組図、（ｂ）は図７（ａ）のＺ部詳細図、（ｃ）は図７（ｂ）のト−ト線矢視図である。
【図８】本発明に係るトラスの組立て構造の第４実施例を説明する図であり、（ａ）は部分詳細側面図、（ｂ）は図８（ａ）のヘ−ヘ線矢視図である。
【図９】弦材フランジ取付けプレート７bとラチス取付けプレート５とに上弦材１を接合する時に、上弦材１端部に捩り力（捩りモーメント）ＭＴを加えることを説明した模式図（弦材がＴ形部材の場合）である。
【図１０】本発明に係るトラス構造の弦材としてＴ形部材を用いた場合に、仮ボルト締付けにより弦材端部に捩り力を与える方法の具体例を示した図である。（ａ）は、弦材端部に捩り角度φの変形を与える捩りモーメントＭＴに対応するフランジ締付力Ｐ（ボルト軸力）を試算した断面モデルであり、（ｂ）は、捩り長さＬと捩り角度φおよび比捩り角度θの関係を示した図である。
【図１１】２本のＴ形部材をフランジ同士が背合せの状態で捩り加工する捩り装置のイメージ図であり、（ａ）は、Ｔ形部材の端部固定装置を含む回転機、および捩り方法の説明図であり、図１１（ｂ）におけるチ−チ線もしくはリ−リ線断面矢視図である。（ｂ）は、捩り装置の側面略図である。
【図１２】２本のＴ形部材をウェブ縁端同士が相対する状態で捩り加工する捩り装置のイメージ図であり、（ａ）は、Ｔ形部材の端部固定装置を含む回転機、および捩り方法の説明図であり、図１２（ｂ）におけるチ−チ線もしくはリ−リ線断面矢視図である。（ｂ）は、捩り装置の側面略図である。
【図１３】本発明に係る部材捩り加工方法の実施例に対するフローチャートである。
【図１４】本発明に係る部材捩り加工方法の別実施例に対するフローチャートである。
【図１５】ａ〜ｇは本発明に係るトラスの組立て構造が対象とするトラス形態の例である。
【発明を実施するための形態】
【００４１】
本発明の第１実施例を、図４および図５に図示したトラス梁の場合にて説明する。
トラス構面を構成する上弦材１と下弦材２はＴ形部材であり、両部材は同一平面内になく（捩じれた位置関係であり）、節点束材４の上下端部に設けられた節点コア部材である上節点部材Ｊ1および下節点部材Ｊ2に連続した、弦材取付け部Ｊ1ａ、Ｊ2ａに、上弦材１と下弦材２がそれぞれ接続されている。ラチス材３、中間束材３aはＬ形鋼、節点束材４は鋼管を用いている。
【００４２】
また、節点束材４の部材軸と上節点部材Ｊ1および下節点部材Ｊ2の部材軸の方向（図４（ａ）、図４（ｂ）の角度α1とα2、β1とβ2表示参照）は、必ずしも一致していなくてもよい。
第１実施例はこのようなトラス梁であって、以下のような組立て構造を有する。
【００４３】
(i)節点束材４に接続されるラチス材３のラチス取付けプレート５の面は、上弦節点Ａと下弦節点Ｂとを結ぶ直線ＡＢと、その直線ＡＢに部材軸を合わされた節点束材４の上端部に接続されるラチス材３の部材軸ＡＣと、節点束材４でラチス材３の接続がない下端部に接続される下弦材２の部材軸ＢＣと、を３辺とする三角形ＡＢＣで決定される平面に対して、ラチス材３の部材軸ＡＣを共有しかつ前記トラス構面の捩じり回転軸Ｘに直交する平面Ｆ1と直交交差する平面Ｆ2に含まれている（図５参照）。
【００４４】
(ii)ラチス材３の下端側のラチス取付けプレート６は、その面を三角形ＡＢＣで決定される平面に対して直交もしくは略直交するようにして、即ち、下弦材２の断面の傾きに無関係に、下弦材２の中間部に取付けられている。図４（ａ）では、下弦材２の中央点Ｃにラチス材３の部材軸を引付けており、この点には中間束材３ａの部材軸も引付けられている。
【００４５】
ここで、図４(c)において、φは一つのトラス構面の全捩れ角度であり、中間束材３aの位置は、そのトラス構面の長さの中央部（１/２点）にあるので、節点束材４の部材軸ＡＢと中間束材３aの部材軸ＣＤとの相対的な傾斜角度差はφ/2となる。従って、ラチス材３のラチス取付けプレート５の面は、図５を参照して、ラチス材３の部材軸ＡＣを共有し三角形ＡＢＣで決定される平面に対してラチス材３の部材軸ＡＣを共有し、かつ前記トラス構面の捩じり回転軸Ｘに直交する平面Ｆ1と直交交差する平面Ｆ2に含まれ、節点束材４の部材軸ＡＢ（もしくは中間束材３aの部材軸ＣＤ）に対してφ/2の角度を持つことになる。
【００４６】
(iii)上下弦材１、２の端部接合面と、弦材取付け部Ｊ1a、Ｊ2aの接合面とが同一平面になるように、その弦材の部材軸回りに捩られて、ボルト等にて接合されている。
【００４７】
なお、上弦材１の中間部で荷重を受ける場合は、図４（ａ）に図示のように、上弦材１に接続された中間束材３aの直上に、取付けピース１０ａを介して取付けられた二次部材１０にて、その荷重を受ければ、弦材１に曲げ応力が発生することを回避できる。
【００４８】
また図４では、上下弦材１、２が共にＴ形部材の場合を図示したが、Ｈ形部材にも適用可能である。即ち、第１実施例の場合、弦材取付け部Ｊ1aにおいて、弦材ウェブ取付けプレート７cの下端に、弦材フランジ取付けプレート７ｂと平行な補剛プレート７dが設けられているので、上弦材１がＨ形部材の場合でもその下フランジと補剛プレート７dとを接合させることが可能である。弦材取付け部Ｊ2aについても同様にすれば、下弦材２にＨ形部材を用いることも可能になる。従って、第１実施例は、部材選択の幅が、後述の第２実施例よりも広いという利点を有する。
【００４９】
図６は、本発明の第２実施例である。
トラス構面を構成する上弦材１と下弦材２はＴ形部材であり、両部材は同一平面内になく（捩じれた位置関係であり）、節点束材４の上下端部に設けられた節点コアプレートである上節点プレート７aおよび下節点プレート８aに連続した弦材フランジ取付けプレート７b、８b、およびラチス取付けプレート５もしくは弦材ウェブ取付けプレート８cに、上弦材１と下弦材２がそれぞれ接続されている。ラチス材３、中間束材３aはＬ形鋼、節点束材４は鋼管を用いている。
第２実施例はこのようなトラス梁であって、以下のような組立て構造を有する。
【００５０】
(i)節点束材４に接続されるラチス材３のラチス取付けプレート５の面は、節点束材４の部材軸（上弦節点Ａと下弦節点Ｂとを結ぶ直線ＡＢに一致）と、前記トラス構面の捩じり回転軸Ｘと、の交差軸で決定される平面に含まれており、かつ、ラチス取付けプレート５とラチス材３とを連結する連結プレート５aが、ラチス取付けプレート５に直交もしくは略直交して設けられている。
【００５１】
(ii)節点束材４に接続されるラチス取付けプレート５とは反対側のラチス取付けプレート６は、その面を、節点束材４の部材軸（直線ＡＢ）と、その節点束材４の上端部に接続されるラチス材３の部材軸（直線ＡＣ）と、節点束材４でラチス材３の接続がない下端部に接続される下弦材２の部材軸（直線ＢＣ）と、を３辺とする三角形ＡＢＣで決定される平面に対して直交もしくは略直交するようにして、即ち、下弦材２の断面の傾きに無関係に、下弦材２の部材中間部に取付けられている。図６（ａ）では、下弦材２の中央点Ｃにラチス３の部材軸を引付けており、この点には中間束材３ａの部材軸も引付けられている。
【００５２】
(iii)ラチス取付けプレート６によりラチス材３が接続された下弦材２の端部と、節点束材４でラチス材３の接続がない下端部と、を接合する弦材ウェブ取付けプレート８cの面が、前記交差軸で決定される平面に含まれている。
【００５３】
(iv)節点束材４の両端部に設けられた節点コアプレートである上下節点プレート７a、８aに連続した弦材フランジ取付けプレート７b、８bは、ラチス取付けプレート５および弦材ウェブ取付けプレート８cとそれぞれ直交もしくは略直交している。
【００５４】
(v)上下弦材１、２の端部接合面と、弦材フランジ取付けプレート７b、８bおよびラチス取付けプレート５もしくは弦材ウェブ取付けプレート８cの接合面とが同一平面になるように、その弦材の部材軸回りに捩られて、ボルト等にて接合されている。
【００５５】
図７は、本発明の第３実施例であり、図１５に図示したタイプｃと同類のトラス形態の場合を示し、例えば、上弦面と下弦面が平行な山形の複層立体トラスの屋根架構であって、その棟線に斜めに交差するトラス構面の一対（上弦材と下弦材）の部材軸が非平行である場合である。この場合、上弦材と下弦材の長さは異なる。
【００５６】
そのトラス構面において、節点部材４の中間部（点Ａ´近傍）に複数のラチス材３、３を取り付けるラチス取付けプレート５、５が集まって接続されており、以下のような組立て構造を有する。なお、自由曲面のトラス架構でも、トラス構面を構成する２本の弦材が同一平面内になくかつ長さが異なる点で同じだが、ここでは最も単純な架構形態の場合で説明する。
【００５７】
(i)２枚のラチス取付けプレート５、５のそれぞれの面は、節点束材４の部材軸ＡＢと、その節点束材４の中間部Ａ´に接続されるラチス材３、３の部材軸Ａ´Ｃ（Ａ´Ｄ）と、節点束材４の端部（Ａ、Ｂ）に接続される２本の弦材（１、２）どちらか一方の部材軸ＢＣ（ＡＤ）と、を３辺とする三角形で決定される平面Ａ´ＢＣ（Ａ´ＡＤ）に対して各ラチス材３、３の部材軸Ａ´Ｃ（Ａ´Ｄ）をそれぞれ共有し、かつ前記トラス構面の捩じり回転軸Ｘに直交する直線Ｏ2Ｃ（Ｏ1Ｄ）を含む平面ｆ1と直交交差する平面ｆ2（ｆ1、ｆ2は、図５のＦ1、Ｆ2に相当）に含まれている。
【００５８】
ここで、図７（ａ）において、Ｌ1≠Ｌ2の場合、上下弦材を結ぶ直線ＣＤ（中間部材３a）は、トラス構面の捩じり回転軸Ｘと直交しないので、点Ｏ1と点Ｏ2は一致せず、前記２枚のラチス取付けプレート５、５（図７（ｂ）、（ｃ）参照）がそれぞれ含まれる平面ｆ2は一致しない。
【００５９】
(ii)節点束材４の中間部Ａ´に接続されるラチス材３、３のラチス取付けプレート５、５とは反対側のラチス取付けプレート６、６は、その面を三角形で決定される平面Ａ´ＢＣ（Ａ´ＡＤ）に対して直交もしくは略直交するようにして、２本の弦材（１、２）どちらか一方の部材中間部（点Ｃ、Ｄ近傍）に取付けられている。
(iii)２本の弦材（１、２）は、その部材軸回りに捩られることなく、節点束材４の両端部（Ａ、Ｂ）に接合されている。
【００６０】
上記（i）に記載の通り、点Ｏ1とＯ2が一致しない（直線ＣＤが前記回転軸Ｘに直交しない）時、図７（ａ）のＺ部分の納まり詳細を示す図７（ｂ）および（ｃ）に図示のように、節点束材４の中間部Ａ´に接続されるラチス材３、３のラチス取付けプレート５、５は同一平面にない。即ち、これらラチス取付けプレート５、５同士が接する縁端は一致せず、ずれ（目違い）を起こすので、それらの間に挿入された仕切りプレート５ｂを介して接合することにより、それらの間に挿入して、その目違いを吸収している。
【００６１】
また、本実施例は、上弦面と下弦面が平行な複層立体トラス架構の設定なので、Ｔ形断面部材である２本の弦材（１、２）のフランジ面を上下弦面に平行に配設すれば、両弦材の部材軸が非平行であっても（トラス構面は捻じれていても）、２本の弦材（１、２）は、その部材軸回りに捩じることなく、節点束材４の上下端部に接合することができる。
【００６２】
なお、上記実施例は最も単純な架構形態の場合であり、２本の弦材（１、２）は、その部材軸回りに捩じる必要はなかったが、自由曲面のトラス架構では、前記２本の弦材を節点束材４の上下端部に無理なく接合するには、前記実施例１や２のように、弦材の部材軸回りに捩ることが有効な方法である。
【００６３】
図８は、本発明の第４実施例であり、以上に記載の何れかの実施例において、ラチス材３の少なくとも片方（図８では下端）の端部が、下弦材２の部材中間部のウェブ２´と重なる位置まで伸ばして接合される場合であって、例えば図８（ｂ）に図示のように、下弦材２のウェブ２´面とラチス材３の側面との間に角度γが生じることを想定して、最小隙間寸法ｗ2、ｗ2を確保して部材を製作することにより、下弦材２のウェブ２´とラチス材３の端部との干渉を避けるようにしたものである。
【００６４】
この時、溶接ビード１３、１３の幅も考慮して、２本のＬ形鋼からなるラチス材３の隙間寸法ｗ1を決定する必要がある。
本実施例では、トラスの製作精度があまり高くない場合でも、ラチス材と弦材のウェブとの干渉を避けることができるので、トラス組立て時の問題発生が回避され、作業容易性が向上する。
【００６５】
上記何れの実施例においても、上弦材１もしくは下弦材２の端部接合面と、第１実施例の弦材取付け部Ｊ1ａもしくはＪ2ａ、あるいは第２実施例の弦材フランジ取付けプレート７b、８b他との接合面が、接合前に合っていなければ、図９に示すように、それら弦材の部材軸回りに捩りモーメントＭＴを加えるなどして、弦材（１、２）端部と弦材取付け部（Ｊ1ａ、Ｊ2ａ）等との面を合わせて接合する必要がある。
【００６６】
本発明では、上弦材１もしくは下弦材２が捩られることが特徴であるが、これらを捩じるために、例えば、トラス梁の組立て時に、弦材端部のボルト孔を利用して仮ボルトを締めることにより肌すきを無くす方法をとった場合、その仮ボルトの軸力はどの程度になるかを試算したものが、図１０および表１である。
【００６７】
【表１】
2020066988.tif 000003
【００６８】
図１０（ａ）は、上弦材１端部と弦材取付け部Ｊ1aとを挟み板Ｓ1とＳ2で挟み、ボルト孔を貫通する仮ボルト９、９を締付ける状況を模式的に表現したものである。仮ボルト９、９を締付けることで上弦材１端部に作用する捩りモーメントＭＴは、上弦材１端部のフランジ両端に作用する偶力Ｒで表せば、ＭＴ＝Ｒ×ｂ（ｂ：フランジ幅）なので、仮ボルト９、９の軸力は、Ｐ＝ＭＴ/２e（ｅ：弦材ウェブ芯から仮ボルト９までの寸法）である。
【００６９】
表１は、図１０のモデルによるフランジ締付力Ｐの計算結果例であり、捩り角度φ＝5°、部材捩り長さＬ＝300cm、500cmとした場合の、Ｔ形部材６サイズに対する仮ボルト９の軸力Ｐ(単位：kg)を試算した結果である（φとＬおよびθの関係は図１０（ｂ）を参照）。No.1〜4は、サイズが小さいので、Pは100〜250kg程度であり、スパナを用いた手締めでも問題なく締付け可能である。
【００７０】
しかし、No.9〜12のような大きなサイズでは、1000〜3000kg程度とかなり大きくなる。ボルトを締めるだけなら、この程度でも手締めは可能だが、現場でのトラス組立て中において、ボルトを締付けている部材端部の反対側端部には、同じだけの捩りモーメントＭＴが反力として作用するので、仮締め状態にある反対側端部の節点位置が動いてしまい、架構の組み上がりが安定しないという問題が発生し、現場建て方の効率を大きく損なう可能性がある。
【００７１】
勿論、そのような問題がない程度の捩り角度や小さな部材サイズ、あるいは、捩り剛性の小さいＬ形鋼等であれば、上記方法を用いることは可能である。
【００７２】
上記問題を回避して現場建て方の効率化を図るには、弦材の端部を予めに捩り加工しておくことが最善の解決策である。
【００７３】
そこで、その部材捩り加工方法の実施例として、例えば、次のような部材捩り装置２０（図１１、１２参照）を用いることが考えられる。即ち、図１１、１２および図１３のフローチャートを参照して、
(i)２本のＴ形部材１１、１２を、そのフランジ同士を背合わせした状態（図１１（ａ）、（ｂ））、もしくはそのウェブの縁端同士が相対する状態（図１２（ａ）、（ｂ））で、その両端部を、一定の距離Ｌを置いて２箇所に設置された回転機２０aの固定装置２１、２１、…で掴み（Step.1）、
【００７４】
(ii)前記２箇所の回転機２０aを相対的に逆方向に回転させることにより、前記一対のＴ形部材に目標角度φｍまで捩り変形を与え、その後、捩り力を解除して捩り変形を残留させ（Step.2、3）、
(iii)その残留捩り角度φiを測定し、所定残留角度φ0の許容範囲になるまで前工程(ii)を繰り返す（Step.4、5、5a）。
【００７５】
(iv)残留捩り角度φiが所定残留角度φ0の許容範囲に収まったことを確認して、回転機２０aの固定装置２１、２１、…から部材を取外して終了する（Step.6）。
以上の工程を含む、部材捩り加工方法である。
【００７６】
図１１に示す捩り装置２０のイメージ図にて説明すれば、図１１（ｂ）に図示のように、２本のＴ形部材１１、１２をそのフランジ同士を背合わせした状態で、その両端部を、捩り装置２０の回転機２０a、２０aに挿入し、図１１（ａ）に図示のように、固定装置２１、２１、…にて幅広矢印の方向に締付け固定する。
【００７７】
その後、一対のジャッキ２２、２２のピストンロッド２２a、２２aを直線矢印のように逆方向に伸縮させ、回転機２０aを円弧矢印の方向に回転させる。その時の捩り目標角度φｍは所定残留角度φ0が残留する大きさとする必要がある。
【００７８】
１回の捩り加工で所定残留角度φ0が得られなかった場合は、目標角度φｍを増大させて再度捩り変形を与える。この時、部材の捩りモーメントＭＴと捩り角度φの関係は、図１３の付図１の模式図のように、初期点oから弾性限界aに至り、降伏して変形が進行する。点bで捩りモーメントＭＴを解除すれば、点cまで弾性的に戻るが、所定残留角度φ0 に対応する点ｆには達していないので、再度加力して点dまで戻し、更に点eまで変形を微増した後、捩りモーメントＭＴを解除して、一定の誤差の範囲で点ｆに至れば、捩り加工完了である。
【００７９】
以上説明した図１１（ａ）、（ｂ）に図示の方法では、２本のＴ形部材１１、１２のフランジ断面が回転機２０a、２０aの回転軸に近いため、部材の捩り剛性が低い。そのため、所定残留角度φ0 を得るためには、目標角度φｍを相当大きくする必要がある。
【００８０】
一方、図１２(ａ)、（ｂ）に図示の方法では、２本のＴ形部材１１、１２のウェブの縁端同士が相対する状態で、その両端部を回転機２０a、２０aの固定装置２１、２１、…で掴んで捩るので、そのフランジ断面が回転機２０a、２０aの回転軸から遠いため、部材の捩り剛性が高い。よって、目標角度φｍは図１１（ａ）、（ｂ）に図示の方法よりも小さくてよい。
【００８１】
なお、図１１、１２に図示の方法では、Ｔ形部材を２本一緒に捩じるので、異なるサイズの組み合わせでも同時に捩ることが可能であり、また、捩り角度が同じである１台のトラスの上下弦材を一度に加工でき、１本づつ捩じるよりも効率的である。但し、サイズが同じもしくは近い組合せでない場合、捩り完了後の残留角度に相応の差が出てしまうことに考慮し、所定残留角度φ0に対する加工管理値にある程度の許容幅を設ける必要がある。
【００８２】
前記とは別の、捩れたＴ形部材を作製する方法として、図１２に図示の捩り装置２０を利用して、Ｈ形部材をそのまま捩じった後に、ウェブを軸方向に切断する方法が考えられる。Ｈ形部材を捩る場合は、図１２（ａ）、（ｂ）に図示の回転機２０aに装着する固定装置２１、２１、…を、Ｈ形部材用として利用することが可能である。
【００８３】
図１２（ａ）、（ｂ）および図１４のフローチャートを参照して、
(i)Ｈ形部材（図示しない）を、一定の距離Ｌを置いて２箇所に設置された回転機２０aの固定装置２１、２１、…で掴み（Step.1）、
(ii)前記２箇所の回転機２０aを相対的に逆方向に回転させることにより、前記Ｈ形部材に目標角度φｍまで捩り変形を与え、その後、捩り力を解除して捩り変形を残留させ（Step.2、3）、
(iii)その残留捩り角度φiを測定し、所定残留角度φ0の許容範囲になるまで前工程(ii)を繰り返す（Step.4、5、5a）。
【００８４】
(iv)残留捩り角度φiが所定残留角度φ0の許容範囲に加工されたＨ形部材を切断装置（図示せず）に移し、例えば図１４の付図３に図示のように、加圧装置を用いて強制的に捩り角度を０°まで変形を戻す（Step.7）。この時、部材は、付図２を参照して、点ｆから点gの状態に移るが、gの状態は弾性域であり、強制力を解除すれば状態ｆに戻るので、所定残留角度φ0 は確保される。
【００８５】
(v)その状態にて、前記Ｈ形部材のウェブを部材軸方向に切断装置を用いて切断して、２本のＴ形部材に分割した後、切断装置から部材を取り外して終了する（Step.8、9、10）。切断に際して、捩れ角度が０°の状態なので、ウェブの切断精度が確保し易い。
【００８６】
以上の工程を含む、部材捩り加工方法である。
なお、この方法ではＨ形部材を２本のＴ形部材に分割するので、捩れた同じサイズの弦材を一度に２本製作することができる。
【産業上の利用可能性】
【００８７】
本発明は、一様でない曲面の複層立体トラス架構を構成する捩れた弦材にＴ形部材等を用いる場合であっても、それら捩れた弦材の中間部にラチス材を無理なくに接合することができるので、軽量で安価な大規模屋根等の大空間架構の実現に大いに貢献できる。
【符号の説明】
【００８８】
１、１ａ：上弦材
２、２ａ：下弦材
３：ラチス材
３ａ：中間束材
４：節点束材
５、６：ラチス取付けプレート
５a：連結プレート
５b：仕切りプレート
６ａ：束取付けプレート
７ａ：上節点プレート
８ａ：下節点プレート
７ｂ、８ｂ：弦材フランジ取付けプレート
７ｃ、８ｃ：弦材ウェブ取付けプレート
７ｄ：補剛プレート
９：仮ボルト
１０：二次部材
１０ａ：取付けピース
１１、１２：Ｔ形部材
１３：溶接ビード
２０：捩り装置
２０a：回転機
２１：固定装置
２２：ジャッキ
２２a：ピストンロッド
Ｊ1：上節点部材
Ｊ2：下節点部材
Ｊ1ａ、Ｊ2ａ：弦材取付け部
Ｌ：部材の捩り区間長さ
Ｐ：仮ボルトの締付け力
ＭＴ：捩り力（捩りモーメント）
γ：ラチス材側面と弦材ウェブ面との角度
φ：捩り角度
θ：比捩り角度＝φ/Ｌ
Ｗ：トラス一構面の範囲
w1、w2：隙間寸法
【図１】
2020066988.tif 000004
【図２】
2020066988.tif 000005
【図３】
2020066988.tif 000006
【図４】
2020066988.tif 000007
【図５】
2020066988.tif 000008
【図６】
2020066988.tif 000009
【図７】
2020066988.tif 000010
【図８】
2020066988.tif 000011
【図９】
2020066988.tif 000012
【図１０】
2020066988.tif 000013
【図１１】
2020066988.tif 000014
【図１２】
2020066988.tif 000015
【図１３】
2020066988.tif 000016
【図１４】
2020066988.tif 000017
【図１５】
2020066988.tif 000018